(57)【要約】  ランク付けされ索引付けされた情報を収集しユーザ及び広告主にプレミアムサービスとして供給する（２７０）ためのシステム及び方法。情報交換機が、異なるウェッブベースで（１１０）独自のネットワーク発信源からのＲＳＳ（Ｒｅａｌｌｙ＿Ｓｉｍｐｌｅ＿Ｓｙｎｄｉｃａｔｉｏｎ）及びウェッブサービスベースの情報を集約し、掲載し、申し込むように動作する。最近掲載されたニュース又は在庫情報、新しいサービス又は製品が、システムに掲載される。情報は、入力すると、システムによって処理され、それが利用可能になると、その種類の掲載情報について通知してほしいと表明した一般大衆、関係者又は他のシステムに配信される。
2007531122.tif 000002
【特許請求の範囲】
【請求項１】
インターネットを介して新規追加情報を交信するためのシステムであって、
記憶された問い合わせに関係する情報をインターネットから検索するために用いられる問い合わせを記憶するためのシステムデータベースであって、前記問い合わせがシステムのユーザによって入力される前記システムデータベースと、
他のユーザからアップロードされる情報に基づき、追加の問い合わせを提供するための検索エンジンと、
情報提供者及び他のユーザの内の少なくとも一方から取得された情報を受信し、ユーザ問い合わせに基づき、ユーザの内の特定ユーザに受信情報を送るための情報交換機と、
情報交換機に接続され、受信情報を処理し、受信情報に関係するデータを提供するための索引付け・カウンタモジュールと、
が含まれるシステム。
【請求項２】
請求項１に記載のシステムであって、ウェッブサーバ、ニュースネットワーク及び掲載者が、インターネットを介して、情報提供者からの情報変更を情報交換機に提供するシステム。
【請求項３】
請求項１に記載のシステムであって、情報交換機には、
情報のコンテンツの少なくとも発信源、コンテンツ、優先順位、サイズ、関連性及び独特性を決定するためのメッセージ論理フローモジュールと、
ユーザへの通信及びコンテンツ配信を検証し処理するためのコントローラと、
コンテンツを検索するためのテキスト検索・解析エンジンと、
問い合わせディレクトリに記憶されたユーザ問い合わせを用いて、システムのユーザによって入力された問い合わせをランク付けする優先順位付けエンジンと、
広告レジストリに記憶された特定の広告と共に検索結果をパッケージ化するためのメッセージエンジンと、
ユーザ又は加入者に広告又は通知を行うための管理モジュールと、
ユーザ口座情報を提供するための課金・決済データベースと、
が含まれるシステム。
【請求項４】
請求項１に記載のシステムであって、インターネットを介して受信された情報は、加入者がシステム内に出した問い合わせ又はリスト項目トピック、時間、関連性及び問い合わせの内の少なくとも１つに基づくシステム。
【請求項５】
請求項４に記載のシステムであって、特定の会社によってなされる特定のニュース又は発表及び変更について通知してほしいと願う加入者が、ウェッブサイトに入力して、特定のフォーマットで彼らに及び特定の装置に通知を送信するように要求するシステム。
【請求項６】
請求項５に記載のシステムであって、特定の装置は、コンピュータ、携帯電話又はＰＤＡの内の１つであるシステム。
【請求項７】
請求項１に記載の方法であって、情報交換機は、データ供給の際、ブローカ、アグリゲータ又は検索エンジンを介して要求を受信する方法。
【請求項８】
請求項１に記載のシステムであって、新しい情報が掲載者、ニュースネットワーク、ウェッブサービス又は他の情報発信源によって生成される時、情報交換機上でのアクティビティが行われるシステム。
【請求項９】
インターネットを介して新規追加情報を交信するための方法であって、
情報提供者又は管理者からの新しいデータを情報交換機にアップロードする段階と、
検索問い合わせを静的な問い合わせとして、システムデータベースに入力し記憶する段階であって、前記静的な問い合わせは、情報交換機にユーザ又は加入者から入力される前記段階と、
情報交換機においてデータを監視して、新しいアップロードされたデータが、情報提供者又は管理者によって情報交換機に追加されたかどうか判断する段階と、
新しいアップロードされたいずれかのデータが、静的な問い合わせに反応を示すかどうか判断する段階と、
新しいアップロードされたデータが静的な問い合わせと合致すると判断された場合、静的な問い合わせを入力したユーザ又は加入者に、インターネットを介して、照合データを送信する段階と、
が含まれる方法。
【請求項１０】
請求項９に記載の方法であって、情報交換機は、データ供給の際、ブローカ又はアグリゲータ又は検索エンジンを介して、問い合わせを受信する方法。
【請求項１１】
請求項１０に記載の方法であって、ユーザが無線装置又はコンピュータを操作する間、又は、ブラウザ又はインターネットを用いて検索が行われる度に、オペレーティング・システム又は特定のアプリケーションによって、問い合わせが生成される方法。
【請求項１２】
請求項９に記載の方法であって、更に、
ユーザが問い合わせに関連した新しい結果について通知してほしいと願うかどうか判断する段階と、
ユーザが問い合わせに関連した新しい結果を受信したいと願う場合、用いられた装置、コンピュータ、ウェッブサービス及び検索エンジンの内の少なくとも１つによって提供される他の情報と問い合わせとを組み合わせる段階と、
が含まれる方法。
【請求項１３】
請求項１２に記載の方法であって、他の情報には、広告データベースに記憶された広告が含まれる方法。
【請求項１４】
請求項９に記載の方法であって、広告主が、ウェッブサイト及びシステムデータベースを用いて、指し値をつけて、特定の広告及び情報を対象のユーザ又は加入者に配信する契約を情報交換機と結ぶ方法。
【請求項１５】
請求項１２に記載の方法であって、更に、
ユーザのプロファイル及び検索結果のランキングの内の少なくとも１つに基づき、組み合わせられた問い合わせ及び他の情報を新しい問い合わせに変換する段階と、
情報交換機によってアクセスされる静的な問い合わせとして、システムデータベースに新しい問い合わせを入力する段階と、
が含まれる方法。
【請求項１６】
請求項９に記載の方法であって、更に、
情報交換機において、アップロードされたデータを継続的に監視して、情報提供者又は管理者によって新しいデータが情報交換機に追加されたかどうか判断する段階が含まれる方法。
【請求項１７】
請求項９に記載の方法であって、前記判断する段階には、照合情報をメッセージエンジンにおいてウェッブリンクに変換する段階に先立って、照合データを解析し、テキスト検索し、優先順位をつける段階が含まれる方法。
【請求項１８】
請求項９に記載の方法であって、前記判断する段階には、索引・制御モジュールに記憶された統計的な又は該当するデータと照合データとを組み合わせる段階に先立って、照合データを解析し、テキスト検索し、優先順位をつける段階が含まれる方法。
【請求項１９】
請求項４２に記載の方法であって、更に、
加入者問い合わせ又は加入者のプロファイルに送信されたトピックに基づき、第三者によって提供された広告又は販売促進情報を照合情報に添付する段階が含まれる方法。
【請求項２０】
請求項９に記載の方法であって、更に、
情報交換機において、情報の配信に対して、加入者及び第三者に料金を請求する段階が含まれる方法。
【請求項２１】
請求項２０に記載の方法であって、料金は、合意額、取引手数料、及び広告主が最初に通知される権利に対して値をつける動的な市場の内の少なくとも１つに基づく方法。
【請求項２２】
請求項４２に記載の方法であって、照合データが、特定のフォーマットでインターネットを介して、静的な問い合わせを入力したユーザ又は加入者に対して、また、特定の装置に送信される方法。
【請求項２３】
請求項５５に記載の方法であって、特定の装置は、コンピュータ、携帯電話及びＰＤＡの内の少なくとも１つである方法。
【発明の詳細な説明】
【技術分野】
【０００１】
関連出願
本出願は、２００４年３月２６日に出願した米国仮特許出願連番第６０／５５７，０１７号に対する優先権を主張するものである。
技術分野
本発明は、一般的に、アクセス処理の分野に関し、特に、ランク付けされ索引付けされた情報を、収集し、また、ユーザや広告主に無料又はプレミアム（例えば、有料）サービスとして供給するためのシステム及び方法に関する。
【背景技術】
【０００２】
インターネットは、現在では、数十億アドレスを含むまでに成長した。これらアドレスの各々が、事前の予告なしに変わる関連ウェッブサイトやコンテンツを有し得る。あるいは、ウェッブサイトは、ウェッブサービス又はｘｈｔｍｌリンクを介して、他のサイト又は装置に動的にリンクし得る。そのようなコンテンツ及びリンクの変更は、１日に数百万回起こり得る。往々にして、これらの“更新”や変更は、第三者によって行われる。そのような変更を捜している検索エンジン及び他のサービスは、常にそれらのサイトを特定し索引付けするとは限らない。その結果、ウェッブユーザは、これらのサイトへの更新又は変更に気付かないことがある。
【０００３】
信頼度が高い最新の検索、価格及びニュース情報に対する必要性が大きくなってきたため、絶えず成長している地球規模のインターネットにおいて、捜している新しい情報を見つけて（例えば、最新の順番で）ランク付けすることは益々困難になった。例えば、従来のほとんどの検索及びニュース収集エンジンは、既存のほとんど静的なウェッブサイトの一覧を巡回し索引付けすることに焦点を当てている。インターネットの純然たる大きさのために、新しいもしくは既存のサイト又はそのサイトのコンテンツが掲載される時間と、そのような情報が一般の検索エンジン上で索引付けされたデータとして利用可能になる時間との間の遅延は、益々大きくなりつつある。ウェッブ上のほとんどの情報は無料であるが、情報の要求者によって供給された問い合わせに基づき、情報が、各該当する加入者に“ランク付けされ索引付けされた”フォーマットで配信できるならば、多くの加入者や広告主は、そのような情報に対して喜んで代価を支払う。
【０００４】
地球規模の経済は、より一層集積化されつつある。その結果、最新の該当する情報へのリアルタイムのアクセスは、事業を行う上で重要になってきた。そのような情報によって、成功する会社と、市場での変化に反応する会社の能力が後れている成功しない会社との間の差が生じ得る。現在、競合情報の大多数は、独自の申し込みを介して、ブルームバーグ（Ｂｌｏｏｍｂｅｒｇ）やロイター（Ｒｅｕｔｅｒｓ）等の専門の調査・金融会社によって、多くの断片的なネットワークに配信される。この情報は、本来、この情報に依拠する金融市場等の業界によって用いられる。更に、この情報は、フィルタ処理を一切せずに提供され、また、日々のニュース報道や新聞発表等のばく大な量の掲載物の中で適切なデータを見つけるのは、ユーザ次第である。
【０００５】
幾つかの検索機能が掲載物を検索するために利用可能であるが、これらの検索機能は、オンライン情報への制限されたアクセスだけを提供し、追加の使用料金がかかる。更に、自分が何を検索しているか、また、如何にして情報にアクセスしその関連性を見つけるかについての明確な知識や理解により問い合わせを行うのは、ユーザ次第である。ほとんどの場合、そのような検索には、ワールドワイドウェブ（ｗｗｗ）のどこかに存在する最新の３０乃至９０日分の公的に利用可能な情報が含まれない。多くの加入者にニュースを一斉送信するという概念は、それ自体新しいことではない。しかしながら、全ての掲載された情報発信源を受信し、集約し、再配信し、また、そのような情報の迅速で信頼度が高い管理や問い合わせベースのリアルタイムの配布を行うことが可能なインセンティブ、処理、単一の場所が存在しない。従って、ランク付けされ索引付けされた情報サービスを収集し、ユーザや広告主に供給する方法を提供する必要がある。
【０００６】
また、広告用の又は関連する情報を収集して、そのような新しい情報に追加し、そして、関係者にそれを配布し、また、そのような広告サービスに対する市場ベースの価格設定を提供するシステムはない。
【０００７】
ウェッブに接続された大多数の装置が、ＰＣによって支配される状態から手持ち式無線装置に移行するにつれて、検索や関連サービスの文脈や形態は、これら装置の特別な場所、サイズ及びスペースの制限に対応するように変わる必要がある。
【発明の開示】
【課題を解決するための手段】
【０００８】
本発明は、ランク付けされ索引付けされた情報を収集しユーザ及び広告主に無料又はプレミアム（例えば、有料）サービスとして供給するためのシステム及び方法である。本発明に基づき、情報交換機が、異なるウェッブベースで独自のネットワーク発信源からのＲＳＳ（Ｒｅａｌｌｙ＿Ｓｉｍｐｌｅ＿Ｓｙｎｄｉｃａｔｉｏｎ）ウェッブサービス及び他のプロトコルベースの情報を集約し、掲載し、申し込むように動作する。更に、情報のリアルタイムの通知及びアクセスが提供される。最近掲載されたニュース又は価格及び在庫情報、新しいサービス又は製品が、システムに掲載される。情報は、入力すると、システムによって処理され、それが利用可能になると、その種類の掲載情報について通知してほしいと表明した一般大衆、関係者又は他のシステムに配信される。ＲＳＳは、見出し及び他のウェッブコンテンツを共有するためのＸＭＬフォーマットである。
【０００９】
情報の配信は、システムユーザ、例えば、加入者等が、システム内に出した問い合わせ又はリスト項目トピック、時間、関連性及び問い合わせに基づく。本発明に基づき、提供者又は“他のユーザ”は、情報交換機を用いてウェッブサービス及びカスタムアプリケーションを起動し、また更に、情報から生じた通知又は情報の流れを処理することによって生成された結果を用いる。
【００１０】
本発明によって、情報の伝達及び配信用の広告、警告、競合情報又は無料の情報の形態で価値を付加するための市場を生成することが可能であり、また、異なる発信源の情報に対するリアルタイムの市場価格設定が行われ、更に、異なるエンティティが、そのような情報の周辺に付加し、付属し、宣伝するために喜んで支払う価格が提供される。更に、加入者や掲載者は、その情報を用いて、事前に合意された価格に基づき、コンテンツを販売し、一方、他の加入者は、現在の市場価格に基づき、情報交換機に彼らの収入を最適化させ得る。更に、そのようなシステムによって、関係グループ、顧客プロファイル及び支払いレベルにユーザを集約することが可能になり、また、市場は、そのようなグループへの広告又は情報の配信の価格設定が可能になる。交換機によって、広告主は、起こっているイベントに基づき広告のトリガをかけ、また、そのようなイベントに基づき、動的に又は手作業で広告を開始し得る。
【００１１】
一実施形態に基づき、インターネットを介して新規追加情報を交信するためのシステムは、システムユーザによって入力された問い合わせを記憶するためのシステムデータベースを提供する。これら問い合わせは、記憶された問い合わせに関係する情報をインターネットから検索するために用いられる。検索エンジンは、そのような交換機にリンクされることによって、また、他のユーザからアップロードされる情報に基づき、追加の問い合わせ結果を提供し得る。情報交換機は、情報提供者及び／又は他方のユーザから取得された情報を受信し、また、ユーザ問い合わせに基づき、ユーザの内の特定ユーザに受信情報を送るために提供される。情報交換機に接続された索引付け・カウンタモジュールは、受信情報を処理し、また、受信情報に関係するデータを提供するために設けられる。
【００１２】
他の実施形態に基づき、インターネットを介して新規追加情報を交信するための方法を開示する。本方法において、情報提供者又は管理者からの新しいデータは、処理のために情報交換機に送信されるか、又は、情報交換機にアップロードされる。検索問い合わせは、入力され、静的な問い合わせとしてシステムデータベースに記憶され、そのような静的な又は動的な問い合わせは、ユーザ又は加入者から情報交換機に入力される。データは、新しいデータが情報提供者又は第三者によって情報交換機に追加されたかどうか判断するために、情報交換機において監視される。いずれかの新しいアップロードされたデータが、静的な問い合わせに反応を示すかどうかに関して、判断が行われ、新しいアップロードされたデータが、静的な問い合わせと合致すると判断された場合、照合データは、インターネット又は他のネットワークを介して、静的な問い合わせを入力したユーザ又は加入者に送信される。
【００１３】
交換機は、交換機を通して処理される全ての情報用の内部リンク・タグ付けシステムを生成し、また、優先順位及び関連性によって、それをランク付けし、これによって、あらゆるトピックに関するデータツリーが生成され、誰にでも利用可能になる。この固有の時系列トピックベースのツリーは、あらゆる題材及び全ての該当する情報の時系列的表示を提供する。新しい警告及びデータ供給が交換機に行われると、新しい形態の検索及び警告を行うことができ、これによって、関連する製品及びサービスリンクを備えた時系列及び文脈による検索マップが生成される。
【発明を実施するための最良の形態】
【００１４】
本発明の他の目的及び特徴は、添付図面と共に斟酌すると、以下の詳細な説明から明らかになる。しかしながら、図面は、本発明の制限の定義としてではなく、単に例示の目的のためだけに描かれたものであり、本発明の制限の定義に関しては、添付された請求項を参照すべきであることを理解されたい。更に、図面は、必ずしも縮尺通りに描かれているとは限らず、また、他に規定されない限り、本明細書に記載される構造及び手順を概念的に示すようにのみ意図されていることを理解されたい。
【００１５】
本発明の上記及び他の優位点及び特徴は、添付図面を参照して、以下に与えられた本発明の好適な実施形態の詳細な説明により更に明らかになるであろう。
【００１６】
本発明は、ランク付けされ索引付けされた情報を収集しユーザ及び広告主に無料又はプレミアム（例えば、有料）サービスとして供給するためのシステム及び方法である。本発明に基づき、情報交換機が、該当する情報を集約し、並び替え、ランク付け、添付し、また、しかるべき当事者に掲載し、課金し、集金し、支払いを行うように動作する。異なるウェッブベースの及び独自のネットワーク発信源からのＲＳＳ（Ｒｅａｌｌｙ_Ｓｉｍｐｌｅ_Ｓｙｎｄｉｃａｔｉｏｎ）、ウェッブサービス、及び他のプロトコルベースの情報供給を用いることによって、交換機は、クローラ又はアウトバウンド情報収集ツールを用いて、あらゆるニュース収集組織又は検索エンジンより常に正確で最新であろうとする。更に、リアルタイムの通知及び情報へのアクセスが提供される。本発明に基づき、最近掲載されたニュース、在庫情報、新しい価格及びサービス又は製品が、システムに掲載される。情報は、入力すると、システムによって処理され、それが利用可能になると、その種類の掲載情報について通知してほしいと表明した一般大衆、関係者又は他のシステムに配信される。ＲＳＳは、見出し及び他のウェッブコンテンツを共有するためのＸＭＬフォーマットである。
【００１７】
本発明のシステム及び方法によって、広告主及び情報提供者は、データ配信システムに“相乗り”して、カスタム広告及び他の該当する無料の又は競合情報を加入者に配信することができる。情報の配信は、加入者がシステム内に又はリアルタイムの対話式作業及び検索環境を提供するために他のプログラム中から生成された活性状態のリンクに出した問い合わせ又はリスト項目トピック、時間、関連性及び動的な問い合わせに基づく。本発明に基づき、提供者は、ウェッブサービス及びカスタムアプリケーションを起動するために情報交換機を用い、また更に、情報から生じた通知又は情報の流れを処理することによって生成された結果を用いる。ユーザは、関心のあるトピックを指定することができ、また、情報が見つかった場合、更に通知を実証するためにより詳細に照会し得る。例えば、ウイルス修復に携わっているプログラマに対しては、他者又は最新の試行によって提供された成果又は解決策についてすぐに通知することができ、このプログラマは、特定の発信源を指定したり、単に自らのブラウザをアクティブ検索モードにすることによって該当するトピックだけを検索したりできる。
【００１８】
グーグル（Ｇｏｏｇｌｅ）又はヤフー（Ｙａｈｏｏ）／オーバーチュアによって、掲載者及び会社所有者を含む第三者は、情報を投稿して、それらの検索エンジンに含ませることができ、また、ウェッブを“巡回”して、多くの種類のウェッブページを索引付けし得る。新しい技術標準が出現しつつあり、これによって、出版社や企業は、自らのウェッブサイト、ディレクトリ、ニュースグループ又は新聞発表に自ら行うあらゆる変更又は追加を自動的に第三者に一斉送信し得る。１つのそのような標準が、ＲＳＳであるが、他の標準も将来開発されるであろう。ＲＳＳ標準は、見出し及び他のウェッブコンテンツを共有するためのＸＭＬフォーマットである。情報のそのような交信の目的は、異なる発信源からの多くの供給を収集することであり、また、情報を処理した後、同じ又は他の何らかのフォーマットで、情報を変換したり、関係者に配布したりすることである。
【００１９】
図１は、本発明に基づく情報交換機の異なる要素間における対話を示す代表的な概略ブロック図である。図１を参照すると、本発明のシステム及び方法は、掲載されたデータを集約し、自らの変更及び追加を掲載しないサイト、会社及び公的情報発信源からＲＳＳ及び他のフィールドを収集し、集約された掲載物及びデータを処理して、そのような情報が、情報交換機１００の加入者によって作成された各検索及びプロファイル問い合わせ項目に合致し得るように、一時的に記憶又は索引付けされ、また、恒久的に記憶される。特定の会社によってなされる特定のニュース又は発表及び変更について通知してほしいと願う加入者は、ウェッブサイト１１０を訪れ、そのような通知を特定のフォーマットで自分に送信するように、また、コンピュータ、携帯電話、携帯情報端末（ＰＤＡ）又は他の何らかのウェッブ使用可能な装置等の特定の装置に送るように要求し得る。
【００２０】
本発明に基づき、情報交換機１００は、“大量の”データ供給において、他のプログラム、ブローカ又はアグリゲータ又は検索エンジン１１５を介して、要求を受信する。この要求は、ブラウザ又はインターネットを用いて検索が行われる度に、ユーザが無線装置又はコンピュータを操作する間に、オペレーティング・システム又は特定のアプリケーションによって生成し得る。そのような検索に関する新しい結果について今後通知されることをユーザが願うかどうかユーザ１２０に尋ね得る。ユーザがこの案内を了承する場合、問い合わせは、用いられる自らの装置又はコンピュータ、ウェッブサービス、又は検索エンジンによって提供される他の情報、例えば、広告データベース１２５に記憶された広告と組み合わせられる。
【００２１】
そのような問い合わせを照合すると、交換機は、ウェッブサイト１１０及びシステムデータベース１３０を用いた広告主によって以前出された広告を追加して、指し値をつけ、情報交換機１００及びその相手方と特定の広告及び情報を対象の消費者に配信するように契約を結ぶ。組み合わせられた情報は、ユーザのプロファイル、他の以前入力したユーザ情報及び／又は検索結果のランキング、また更に、ニュース、キーワード及び価格の変動等の第三者によるイベント又は特定グループの総ユーザに基づき、複合の問い合わせに変換される。そのような警告の配信後、交換機は、交換機上に掲載された事前に合意された条件に基づき、広告主及び第三者が支払う必要がある額、及びいずれかの掲載者又はユーザに支払われるべき額を計算し、そして、各ユーザ口座の貸方に記入する。
【００２２】
情報交換機１００は、収集された新しいデータを各々比較し、それを、ユーザ１２０又は加入者によって入力された既存の問い合わせのリストと付き合わせる。合致した場合、論理フローを介して、それは、解析され、テキスト検索され、また、優先順位がつけられ、その後、メッセージエンジンは、それをウェッブリンクに変換するか、又は、それを、索引・制御モジュール１３５に記憶された他の統計的な又は該当するデータと組み合わせる。そして、照合結果は、ユーザが要求するか又は交換機が重要だと判断する何らかの関連するファイル又は追加の情報と共に加入者又はエージェントに送信される。本発明に基づき、情報交換機１００は、加入者の問い合わせ又は加入者のプロファイルと合致するトピックに基づき、第三者によって提供された広告又は販売促進情報を添付し得る。例えば、ユーザが金融ユーザプロファイルを有する場合、警告には、会社の競争相手の株式シンボル又は他のニュース発表内容を含み得る。ニュースがビデオクリップである場合、システムは、リンク又は実際の映像ファイルをローカル装置に閲覧のために送信し得る。更に、情報交換機１００は、合意額、取引手数料、又は広告主が最初にそのような通知に含まれる権利に対して値をつける動的な市場に基づき、情報を配信するための料金を加入者及び第三者に請求し得る。また、情報交換機１００は、人工知能（ＡＩ）、ユーザフィードバック、デジタルオブジェクト識別子（ＤＯＩ）リンク、ｘｈｔｍｌタグ、又は他のツールを利用して、システムにおける情報の流れと問い合わせとを照合する能力を強化し、また更に、システムを“自己訓練”して、ユーザ１２０が、情報交換機１００によって集約された該当する情報に対する自らの問い合わせに優先順位をつけ、また、的を絞ることを可能にする。一般的に、比較エンジン又は他の自動化システムは、任意の所定の時間に及び使用中、情報交換機１００にアクセスする数百万の問い合わせを含み得る。そのようなユーザ又はエンジンは、商品及びサービスに対するそれらのユーザ転換比率が、現在のウェッブ広告システムより良い場合、強化されたサービスをそれらの顧客に提供することによって、実質的な収益の流れを生成し得る。
【００２３】
情報交換機１００は、新聞発表又はウェッブサイト等を介して、世間に情報を投稿する伝統的な方法に対する他の選択肢を提供する。通常、そのような情報は、情報を受信する一般大衆が、それを実際に読むことを期待して投稿される。本発明では、従来のシステムは、交換機を介して、掲載者及び固有情報の発信源に彼らのデータを掲載するための正当な理由を与えるシステムによって置き換えられ、製品発表、価格設定及び販売促進発表、新しい価格、ソフトウェア又はサービス発表は、関係者だけに送信し得る。加入者の関心に合致するコンテンツが見つかった場合、加入者によって承認される機能が実施される。例えば、この機能は、そのような情報の受信に対して又はプログラムもしくはサービスのデモのロードに対して関心を示した特定の集団の加入者に新聞発表に関するリンクを提供し得る。交換機は、加入者が、サービスを購入したり試したりすることに関して瞬時の決断をなし得るように、他の交換機ユーザのリアルタイムのランク付け情報を提供し得る。
【００２４】
更に図１を参照すると、情報交換機１００におけるアクティビティは、新しいデータが、掲載者１０５ａ、ニュースネットワーク１０５ｂ、ウェッブサービス１０５ｃ又は他の情報発信源（ＩＰ）によって生成される時、開始される。これらの発信源は、インターネットを介して又は通信供給機構Ｌ１を直接介して、交換機にリンクされる。また、情報サイトの管理者１４５は、ウェッブサイト１１０にアクセスし得るが、これを通して、彼らの情報交換機１００との対話を管理し得る。ユーザ１２０は、ウェッブサイト１１０を介して又はブローカ及び検索エンジン１１５を介して検索に入ることによって、交換機１００にアクセスし得る。そして、これらの入力は、情報交換機１００又は索引・カウンタモジュール１３５によって、１回の又は持続的な問い合わせに変換される。
【００２５】
本発明に基づき、数百万の情報発信源の連続的な監視は、或るキーワード又は話題を情報交換機１００又は他の収集プログラムに示すことによって、最小の労力及び極めて低コストで達成し得る。通知は、無線装置、ＰＤＡ、コンピュータ等の様々な通信装置にほとんど直ぐに送信し得る。本発明に基づき、メッセージ又はサービスは、様々なフォーマットで表示され、電子メール、瞬時メッセンジャ、短メッセージサービス（ＳＭＳ）メッセージ及びブルームバーグ端末等、既存の標準及び独自のシステムをサポートする。
【００２６】
更に、情報交換機１００は、クライアント・ソフトウェア・インターフェイス及びパーソナル・ウェッブ・ログを提供し、これによって、加入者は、システムデータベース１３０に記憶された自らの口座、問い合わせ、予算、プロファイル、時系列のイベント及び優先順位付けを管理できる。更に、情報交換機１００は、また、ユーザ記憶装置と、見つけた全ての該当する情報との同期をとる。その結果、加入者は、最も関心のあるトピックに関する最新のデータを連続的に提供され、ネットワークにアクセスしたり、自らのコンピュータを用いたりする必要なく、自らの装置上で、それらに直ちにアクセスし得る。好適には、加入者には、自らの好みのトピックに関する音声映像及びデータを含み得る６０日分までの最新の情報が提供されるが、これらに対しては、それらのデータがオンラインで利用可能な場合、交換機がそれらと同期をとることから、インターネット接続なしでローカルにアクセスし得る。
【００２７】
情報交換機１００は、直接ＸＭＬ、又は各情報提供者１４０からの及び各ウェッブサーバ１０５ｃからの他の種類の“供給機構”を有するが、これは、新しいリストの更新されたコンテンツ又は既存のコンテンツに対する変更の発生を示す。変更のリストは、標準ＮＡＩＣＳ／ＳＩＣコードの下で体系化したり、ＸＭＬヘッダを用いて分類したりして、コンテンツが関係者と突合せされ配信されることを簡略化し得る。その結果、コンテンツの所有者は、特定の情報を掲載し、その間、他の情報を丸秘にしておくことが可能になる。
【００２８】
多くのウェッブサイトは、内部のデータに対するクローラ又は非加入者のアクセスを許可しない。その結果、検索エンジンは、ウェッブサイト上の大多数の情報にアクセスできない。対照的に、情報交換機１００は、それ以外では利用不可能な特定の情報について、収集、処理、また、特定の加入者への通知において、信頼されるパートナとして機能する。ここで、情報交換機１００は、それ以外では、個々のあらゆる情報発信源にとって処理するのに経済的でない小量の支払いが必要な多数の取引を処理する中央清算設備としても機能し得る。交換機は、数百万の小掲載者又は情報提供者のログイン、セキュリティ、及び加入者情報の確証を管理し得るが、これらの人々は、そのようなクライアントと関係はないが、自らのサービスに対して課金したいと望む。本発明の一実施形態において、情報交換機１００は、ユーザが、交換機による通知を利用して掲載者の実際のウェッブサイトをリンク又は訪れる場合、掲載者の元のサイト上の広告又は競合コンテンツを管理し配信する。
【００２９】
本発明の他の実施形態において、情報の流れは、コンテンツの発信者、広告問い合わせのアグリゲータ又は取引者、情報交換機１００の加入者及び広告主の利益を生むために用いられる。交換機は、キーワード又はイベントの引き金となる広告に対するあらゆる購入及び販売指し値に関連した価格設定の完全な透明性を提供する。そのような透明性によって、グーグル、ヤフー等のアグリゲータや他の検索エンジンの必要性が劇的に減少するが、これらは、広告主が、市場価格が何であるか知らずに、キーワードにやみくもに値をつける手段であるシステムを用いて、そのようなキーワードに関心があるユーザに到達する。検索エンジンによって生成された無料検索結果と並べて提供される取引リスト項目にその後変換されるそのような値付けは、極めて高いマージンを検索エンジンに提供する。しかしながら、情報の提供者及び検索エンジンのユーザには、収入を得たり、検索エンジンによって請求される料金の一部を得たりする方法がない。更に、グーグルには、検索を実施している人に関して、又はその人の購入又は取引にかかわろうとする真の意図に関して限定的な情報しかないことから、キーワードの買い手の“ヒット”改善能力は、限定されている。
【００３０】
対照的に、本発明の情報交換機１００によって、掲載者１０５ａ、アグリゲータ、加入者及び情報提供者１４０は、情報交換機によって請求される料金の一部を受け取ることができ、また更に、買い手及び売り手が喜んで支払う真の金額、又は何らかのリスト項目に対してもしくは特定の取引の実施に対して支払われる真の額を得ることができるが、これは、交換機が、取引手数料を請求し、それが支払うものと、それが広告主から集めるものとの間のマージンを請求しないためである。そのように完全に開示すると、直ちに低価格が広告主に提供され、自らの日々の問い合わせに対して支払いを受けて喜ぶ多くのユーザが集まる。本発明の他の実施形態において、交換機によって実施される取引に関する統計的及び使用量情報の収集及び販売によって、他の収益源が提供される。金融機関及びブローカを含む多くの発信源は、そのような情報の代価を支払うが、これは、製品、会社、価格及びサービスの傾向を示す初期の標識としてそれを用い得るためである。ここで、情報交換機１００は、そのような全ての情報を有料で第三者が利用できるようにする。
【００３１】
本発明に基づき、加入者が関心を示すトピックの拡張リストが管理され、また、そのようなデータの事前通知及びフォーマット化は、トピックが加入者によって要求された文脈でインターネット上に出現するといつでも、ユーザ１２０に提供される。その結果、広告主や企業は、もっと正確に見込み客を狙うことができる。更に、各加入者にいつ何を送るかのカスタマイゼーションが、行われる。また、第三者又は情報交換機１００によって生成される特定のイベントに基づき、異なるメッセージ及び異なる価格も送信される。例えば、本発明のシステムによって、広告主は、情報交換機１００に対して、生命保険に関する広告が、災害イベントに関するニュースが交換機を通過した場合にのみ、“災害”という語を入力した全ての加入者に送信されるべきであることを示し得る。同様に、製造業者は、競争相手からの製品に関するニュース発表又は投稿が、情報交換機を通過する度に、特定の価格で特定の広告を送信するように要求し得る。ここで、通知は、製造業者が受け取ったプロファイルを提供した特定の集団の加入者だけに送信し得る。
【００３２】
また、情報交換機１００は、イベントの組合せを用いて、冒頭部分を生成する。例えば、１つの家から他の家に引っ越しする人は、交換機に対して、自分が、自らの新しい場所に関係する情報の受信に関心があることを示す。ここで、リストが、引っ越し業者、抵当銀行、保険エージェント、地域の売買業者からの競合指し値、及び加入者が必要かもしれないが思いつかない他の該当する事柄について生成される。また、交換機によって、広告主は、一連のアクションを終えた一般大衆を対象にして、特別な販売促進のための又は的を絞った営業活動のための人々だけを選択し得る。加入者は、交換機を用いて特定のオファーの価値を確認するための一方法として、広告主によってなされたあらゆるオファーに対して競合情報を常に提供するように交換機に要求し得る。
【００３３】
更に図１を参照すると、索引・カウンタモジュール１３５は、情報交換機１００が、交換機を流れる情報に関するデータを提供し得るように、又は、他のものに提供させるように、また更に、或るイベントが起こる場合、ユーザ１２０への通知のトリガをかけるように、設けられる。例えば、競争相手がニュースに言及された回数が、或る数を超えたり、自分自身の会社が言及された回数を超過したりすることを企業所有者が知りたい場合である。また、このような事前検索及びメッセージ配信によって、情報交換機の加入者は、情報発信源をランク付けし、関連するデータフローを特定の受信箱又は場所に送ることができる。ここで、ランク付けによって、広告主や企業は、自分達の広告の狙いを改善することができ、また、注文への転化又は自らのウェッブサイトへの訪問の比率を高めることができる。
【００３４】
本発明の他の実施形態において、情報交換機１００は、カスタム通知、及びインターネット及び第三者から警報及び通知情報を収集するダッシュボードのような推進役を生成するために、情報提供者又は第三者によって用いられる。ここで、加入者は、通知が送出される最上位の順位を実現するランク付けがなされるように、また更に、メッセージが他の競合する加入者に送出される前に加入者が要求し得る時間遅延を実現するように、値をつけることができる。
【００３５】
図２は、図１の情報交換機１００によって収集された情報の処理を示す代表的な概略ブロック図である。交換機１００に収集された情報は、特定の情報の流れに分けられる。特に図２を参照すると、情報発信源及び掲載者１０５ａ、１０５ｂ、１０５ｃからのコンテンツは、収集され、メッセージ論理フローモジュール２１０に提供される。メッセージ論理フローモジュール２１０は、情報の発信源、コンテンツ、優先順位、サイズ、関連性及び独特性を判断する。本発明の他の実施形態において、時系列の情報、関連する情報、情報の重要性のランキング、情報の独特性等の他の属性が、メッセージ論理フローに追加される。このことが可能な理由は、全てのメッセージ情報が、ウェッブサイトリンクで提供されるＸＭＬ及び他のプロトコル情報から導出されるためである。
【００３６】
交換機データベース２２０、即ち、メモリ常駐ハッシュ表は、問い合わせ並びにカウンタ及び統計的解析データを索引・カウンタモジュール１３５に記憶するために用いられる。情報フローのデータは、交換機データベース２２０にある他の情報（例えば、索引・カウンタモジュール１３５内に記憶された情報）と比較し、情報交換機１００の他の部分に転送するか、廃棄し得る。
【００３７】
情報ブローカ２４０等の情報交換機又は他のアグリゲータは、追加の情報を情報交換機１００と交信することができる。コントローラ２５０が、情報交換機１００に配置される。アグリゲータ又は他の情報交換機２４０は、ユーザ１２０への通信及びコンテンツ配信を検証し処理するコントローラ２５０によって管理される。コントローラ２５０によって、或る情報が連邦政府からの通知又は重要なニュース警報等、公共の福祉のためのものであると判断された場合、この情報を２１０から２８５に直接流し得る。また、コントローラ２５０は、ユーザ１２０を確証し、また、或る情報へのアクセス及びその代価の支払いのユーザの優先権や権利を管理するために用いられる。
【００３８】
情報のコンテンツが、情報交換機１００のメッセージフローモジュール２１０によって処理された後、特定の組の検索が、テキスト検索・解析エンジン２５５によって、索引・カウンタモジュール１３５にあるテキスト索引及びデータベース検索入力項目に対して照合が特定され、また、リンクが関連付けられるまで実施される。合致した結果は、交換機データベース２２０の問い合わせディレクトリ２６５に記憶されたユーザ問い合わせを用いて、交換機データベース２２０のランク付けディレクトリ２７０に記憶されたランキングに基づき、検索結果をランク付けする優先順位付けエンジン２６０に提供される。また、優先順位付けエンジン２６０は、ランク付けされた結果を情報交換機の管理モジュール２７５に転送し、また、課金・決済データベース３００にアクセスするが、課金・決済データベース３００は、課金、決済、通知、及びその実態及び信用状態について通知が必要な加入者の識別を確認する報告情報を記憶する。また、データベース３００は、請求、集金、及び該当する当事者の自らの取引に対する信用貸し等の全ての課金機能を実施する。交換機の同じメンバが、ある取引では、課金され、また、別の取引では支払いを受けることがあり、自らの全ての課金及び信用貸しが交換機によって差し引きされる。
【００３９】
優先順位付けエンジン２６０は、交換機データベース２２０の広告レジストリ２８０に記憶された特定の広告又は他の外部の広告及び結果と共に検索結果をパッケージ化し、内部ウェッブログ、外部電子メール、ウェッブエージェント２９７、通信装置２９０及び／又はサーバ２９５等の所定の宛先に加入者によって要求されたフォーマット及びスケジュールでそれらを転送するメッセージエンジン２８５に検索結果を転送する。メッセージ伝達エンジン２８５は、課金・決済データベースを更新し、各通知は、異なる組合せ及びコンテンツを有し、従って、関係者に対する異なる価格設定を有し得ることから、送付されたばかりの通知の結果として、誰が何に対して課金されるべきか、また、誰が信用貸しされるべきかを確かめる。このように、情報交換機によって、現在の静的な広告環境とは対照的に、各取引に対してリアルタイムの価格設定が可能になる。
【００４０】
要求されたコンテンツが利用可能であるという通知が加入者に提供された後、課金記録が、交換機の様々な処理モジュールの組合せによって生成され、課金・決済データベース３００に送信され、こうして、リアルタイムの決済及び課金情報を内部用途のために、また更に、情報交換機１００の外部ユーザによる用途のために生成し得る。幾つかの上記ステップは、省き得ることに留意すべきである。例えば、加入者が検索エンジンであって、情報交換機１００を用いて、全ての掲載データを集めているが、交換機からの情報又はあらゆる広告の受信に対して課金されない場合、幾つかの上記ステップは省き得る。
【００４１】
本発明に基づき、加入者は、演算装置２９０、サーバ２９５又はウェッブエージェント２９７を介して、ウェッブサイト１１０に入力し得る。好適には、演算装置は、ＰＤＡ、コンピュータ、携帯電話又は他の何らかのウェッブ使用可能な装置である。
【００４２】
入力された検索データは、情報交換機１００によって、交換機データベース２２０の多数のモジュール又はデータベースに配信され、トラフィック・ボリューム等の履歴結果と比較される。本発明に基づき、加入者には、入力された検索データの頻度及び今後そのような情報を提供する見込みのある発信源に関する瞬時のフィードバックを提供し得る。そして、加入者は、要求を修正したり、自らの入力項目を確認したりできる。入力項目を確認すると、交換機データベース２２０の多数のモジュール又はデータベースは、課金・決済データベース３００の利用可能なデータと組み合わせて、そのような問い合わせが無料であるか、又は、課金されるべきかどうか判断し、この判断について加入者に通知する。取引が、双方の当事者によって受け入れられた場合、交換機データベース２２０の全ての該当する受託者が更新され、また、情報発信源及び掲載者１０５ａ、１０５ｂ、１０５ｃ及びアグリゲータ・ブローカ２４０にロードされる情報提供者１４０からの全ての新しい情報を突合せる試みが行われる。合致すると、該当する広告及び他の情報が、パッケージ化され、該当する加入者（１人又は複数）に配信される。
【００４３】
本発明に基づき、広告主３１０は、ウェッブサイト１１０に入力し、広告主が関心のあるキーワード、トリガイベント、ユーザのプロファイル又は最小数のユーザグループを特定し得る。ここで、加入者は、履歴トラフィック・ボリューム及び特定された範疇に対して他の広告主が支払った価格を閲覧し得る。あるいは、加入者は、管理者モジュール２７５で複合命令を出して、或る特定の条件の下で広告又は通知を開始したり、又は、通知を受け取るための高い価格の代価を支払い得る或るユーザ又は関係グループに追加し得る。そのような入力項目は、情報交換機１００、交換機データベース２２０及び課金・決済データベース３００によって処理される。これらの入力項目は、情報交換機１００上において、広告主３１０による照合及び支払いを最適化するために連続的に監視される。そのようなシステムは、広告主とユーザ又は買い手との間に、そのようなヒットの結果又は価格と何ら相関関係を有さない人為的キーワード価格設定の代わりに転換比率によって支配される供給と需要の市場ベースの均衡を提供する。
【００４４】
多数の加入メンバが交換機１００を用いる場合、メンバは、グループ単位で対話し、入札の異なる部分を閲覧し、異なるトピック及び課金・決済データベース３００における通知エンジンの詳細への展開を要求することが可能である。多数の当事者は、自分達の口座、金融及び時系列的取引のリアルタイムの状態、並びに異なるメンバの傾向及びアクティビティを見る。これによって、買い手は、市場の全ての指し値に関して通知され、また、価格透明性を提供し、更に、異なる提供者からの異なるオプションの評価に対する支払いを受け得る。
【００４５】
広告主は、複合タグ、リンク、トリガ及び他の形態のコードを埋め込み、交換機によって送信されるユーザの対話を自らの指し値と共に追跡でき、こうして、広告主は、自らのシステム上で広告を実際の注文と照合し、極めて確実に、ユーザの転換比率及び新しい注文又は新しい顧客当りのコストを測定し得る。自らの供給チェーン及び内部システムからのそのような結果を情報交換機に直接リンクすることによって、広告主は、転換比率が低いグループ及びユーザから、転換比率が高くそのようなデータを高い信頼度で当てにできる導入部、通知、イベント及びトリガに自動的に自らの予算を振り向けることができる。
【００４６】
検討された実施形態は、世界的に起こるイベント及び変化に関して通知される必要がある企業及び個人に情報交換機１００が提供し得る用途の一部だけを表す。例えば、他の実施形態において、情報交換機１００は、自らの加入者の通知及び管理をアウトソーシングしようとしている他の多くの検索エンジン及びウェッブサイトに対する第三者ウェッブサービス清算所としても機能し得る。その結果、効率的で管理された通知システムが実現され、このシステムによって、通知及び情報の管理可能な個別のポータルが簡略化され提供される。そのような解決策は、既存の電子メール又はＩＭプログラムと一体化して、一体化メッセージ伝達を提供し得る。ここで、情報交換機１００は、一方の無線加入者から他の無線加入者に送られるコンテンツに基づく該当する広告又はキーワードバナーを出すことによって、無線装置に無料の瞬時メッセージ伝達を提供するために用い得る。その結果、本発明のシステムは、送信者及び受信者が、システムを介して送信される各メッセージの代価を支払うＳＭＳシステムに取って代わる。同様に、瞬時メッセンジャ又はいずれか他のプログラムは、ウェッブサービス又はｘｈｔｍｌを介して情報交換機１００にリンクし、それを用いて、広告又はコンテンツをユーザ１２０又は加入者に提供し得る。
【００４７】
他の実施形態において、情報交換機１００は、或る掲載者には、彼らのデータに対して課金し、他方、他の掲載者には、彼らのデータに対して支払いを行い得る。例えば、新聞発表を行う会社は、そのデータを交換機に投稿するための代価を支払う必要があるが、そのような新聞発表に関して書き込む新聞社には、そのデータの投稿に対して、交換機によって代価を支払い得る。同様に、交換機の加入者は、特定の情報発信源からの通知の受信に対して代価を支払うが、他方、他者からの通知が読まれる度に代価の支払いを受け得る。ここで、情報交換機１００の機能は、そのメンバによって入力され事前合意された金融様式に基づき、交換機によってトリガがかけられた各取引から生じる金融取引の集金、処理、通知、清算を行うことである。
【００４８】
図３は、本発明に基づく、本発明の方法のステップを示すフローチャートである。本方法は、ステップ３００に示すように、新しいデータが情報交換機にアップロードされると、実施される。ここで、新しいデータは、情報提供者１４０又は管理者１４５によって情報交換機１００にアップロードされるコンテンツである。新しいデータは、掲載者１０５ａ、新しいネットワーク１０５ｂ及び／又はウェッブサーバ１０５ｃ又は他の情報発信源（ＩＰ）が利用可能である。
【００４９】
検索問い合わせは、ステップ３１０に示すように、ユーザ１２０又はシステムへの加入者によって入力され、また、システムデータベースに記憶される。この場合、情報交換機１００は、“大量の”データ供給で、他のプログラム、ブローカ又はアグリゲータ又は検索エンジン１１５を介して要求を受信する。これらの要求は、ユーザが無線装置又はコンピュータを操作する間、又は、ブラウザ又はインターネットを用いて検索が行われる度に、オペレーティング・システム又は特定のアプリケーションによって生成し得る。ユーザ１２０には、今後そのような検索に関する新しい結果についてユーザに通知してほしいと願うかどうか尋ね得る。この案内が了承されると、問い合わせは、ユーザの装置又はコンピュータ、ウェッブサービス、又は用いられる検索エンジンによって提供され広告データベース１２５に記憶された広告等の他の情報と組み合わせられる。ここで、広告主は、ウェッブサイト１１０及びシステムデータベース１３０を用いて、指し値をつけ、情報交換機１００及びその相手方と契約を結び、対象となる消費者に特定の広告及び情報を配信する。
【００５０】
組み合わせられた情報は、ユーザのプロファイル、他の以前入力したユーザ情報及び／又は検索結果のランキングに基づき、複合の問い合わせに変換される。この新しい問い合わせは、情報交換機１００によってアクセスされる所定の“静的な”問い合わせとして、システムデータベース１３０に入力される。
【００５１】
情報交換機１００は、ステップ３２０に示すように、アップロードされたデータを連続的にモニタし、新しいデータが情報提供者１４０又は管理者１４５によって情報交換機に追加されたかどうか判断する。次に、情報交換機１００は、ステップ３３０に示すように、収集された各新しいデータを、ユーザ１２０又は加入者によって入力された静的な問い合わせのリストと比較し、ユーザ１２０によって入力された問い合わせと合致する新しいデータ中のコンテンツを特定する。合致しない場合、ステップ３２０に戻り、ここで、情報交換機は、アップロードされたデータの監視を再開し、新しいデータが情報交換機に追加されたかどうか判断する。
【００５２】
合致した場合、メッセージエンジンがそれをウェッブリンクに変換したり、索引・制御モジュール１３５に記憶された他の統計的な又は該当するデータとそれを組み合わせたりする前に、それは、論理フローを介して解析され、テキスト検索され、また、優先順位をつけられる（図２参照）。
【００５３】
この段階では、情報交換機１００は、加入者の問い合わせ又は加入者のプロファイルに送信されたトピックに基づき、第三者によって提供された広告又は販売促進情報を添付し得る。更に、情報交換機１００は、合意額、取引手数料、又は広告主が最初にそのような通知に含まれる権利に対して値をつける動的な市場に基づき、情報の配信に対して加入者及び第三者に料金を請求し得る。
【００５４】
次に、照合コンテンツは、ステップ３４０に示すように、情報交換機１００を介して問い合わせを指示した加入者又はエージェント（例えば、ブローカ等）に送信される。この情報は、コンピュータ、携帯電話、ＰＤＡ又は何らかの他のウェッブ使用可能な装置等の特定の装置に対して、特定のフォーマットでユーザ又は加入者に配布される。
【００５５】
図４は、本発明に基づく方法の他の選択肢としてのステップを示すフローチャートである。本方法は、ステップ４００に示すように、新しいデータの検索が行われる時、実施される。新しいデータは、一旦特定されると、一時的な記憶又は索引付けのために集約され、処理され、そして、恒久的に記憶され、こうして、そのような情報は、情報交換機の加入者によってなされる各検索及びプロファイル問い合わせ入力と照合し得る。
【００５６】
そして、集約されたデータは、ステップ４１０に示すように、新しい範疇に並び替えられる。次に、ステップ４２０に示すように、広告及び該当するデータは、新しい範疇に含まれる。ここで、これらの広告は、ウェッブサイト１１０及びシステムデータベース１３０を用いて指し値をつけ、情報交換機１００及びその相手方と、対象となる消費者に対して特定の広告及び情報を配信するように契約を結んだ広告主によってシステムに以前出された広告である。
【００５７】
警告は、ステップ４３０に示すように、以前入力された問い合わせに基づき、ユーザ又は加入者に送信される。ここで、組み合わせられた情報は、ユーザのプロファイル、他の以前入力したユーザ情報及び／又は検索結果のランキング、また更に、ニュース、キーワード及び価格又は特定のグループの総ユーザの変化等の第三者のトリガイベントに基づき、複合の問い合わせに変換される。
【００５８】
広告の配信及びアクセス処理に関連した統計値が、ステップ４５０に示すように、生成される。各ユーザによる購入及び支払いの計算は、ステップ４６０に示すように行われる。ここで、交換機１００は、交換機に掲載され事前に合意された条件に基づき、広告主及び第三者が支払う必要がある額と、掲載者又はユーザに支払われるべき額と、を計算し、各ユーザ口座の貸方に記入する。
【００５９】
そして、各コンテンツ提供者及びユーザは、ステップ４７０に示すように課金される。そして、支払いの集金が、ステップ４８０に示すように行われる。ここで、課金・決済データベース３００は、課金、集金、及び該当する当事者の彼らの取引に対して信用貸しを行う等の全ての課金機能を実施するために用いられる。
【００６０】
本発明によって、情報の伝達及び配信のための市場を生成でき、また、異なる発信源の情報に対するリアルタイムの市場価格設定が行われ、更に、異なるエンティティが、そのような情報の周辺に付加し、付属し、宣伝するために喜んで支払う価格が提供される。更に、加入者及び掲載者は、その情報を用いて、事前に合意された価格に基づきコンテンツを販売得る。その間、他の加入者は、現在の市場価格に基づき、情報交換機１００に彼らの収入を最適化させ得る。
【００６１】
従って、本発明の基本的な新規の特徴について、その好適な実施形態に適用されるように例示し、説明し、指摘したが、例示した装置の形態及び細目並びにそれらの動作の様々な省略、代替及び変更が、本発明の精神から逸脱することなく、当業者によってなし得ることを理解されるであろう。例えば、特に、意図することは、実質的に同じやり方で実質的に同じ機能を実施し、同じ結果を達成する要素及び／又は方法ステップの全ての組合せは、本発明の精神及び範囲内にあるということである。更に、本発明の任意の開示された形態又は実施形態に関連して例示し及び／又は説明した構造及び／又は要素及び／又は方法ステップは、設計選択の一般的な事柄として、任意の他の開示された又は説明した又は提案された形態又は実施形態に組み込み得ることを認識すべきである。従って、本明細書に添付された請求項の範囲によって示すようにのみ制限されるものとする。
【図面の簡単な説明】
【００６２】
【図１】本発明に基づく情報交換機の異なる要素間における対話を示す代表的な概略ブロック図である。
【図２】図１の情報交換機によって収集された情報の処理を示す代表的な概略ブロック図である。
【図３】本発明の方法の代表的なステップを示すフローチャートである。
【図４】本発明に基づく方法の他の選択肢としてのステップを示すフローチャートである。
【符号の説明】
【００６３】
１００      情報交換機
１０５ａ      掲載者
１０５ｂ      ニュースネットワーク
１０５ｃ      ウェッブサービス
１１０      ウェッブサイト
１１５      ブローカ又はアグリゲータ又は検索エンジン
１２０      ユーザ
１２５      広告データベース
１３０      システムデータベース
１３５      索引・カウンタモジュール
１４０      各情報提供者
１４５      情報サイトの管理者
２１０      メッセージ論理フローモジュール
２２０      交換機データベース
２４０      情報ブローカ
２５０      コントローラ
２５５      テキスト検索・解析エンジン
２６０      優先順位付けエンジン
２６５      問い合わせディレクトリ
２７０      ランク付けディレクトリ
２７５      管理モジュール
２８０      広告レジストリ
２８５      メッセージエンジン
２９０      通信装置
２９５      サーバ
２９７      ウェッブエージェント
３００      課金・決済データベース
３１０      広告主
【図１】
2007531122.tif 000003
【図２】
2007531122.tif 000004
【図３】
2007531122.tif 000005
【図４】
2007531122.tif 000006
【国際調査報告】
2007531122.tif 000007